(57)【特許請求の範囲】
【請求項１】
サッシ枠と、サッシ枠の縦枠同士を連結する方立と、目板とを備え、縦枠は方立と係合しており、目板は、方立の略全長に亘って設けてあり、左右の縦枠及び方立の室内側面に跨って配置してあり、方立は、長手方向に突部を有し、方立の突部と目板とで縦枠の室内側縁部を長手方向全長に亘って挟み込んでおり、目板は、方立と左右の縦枠にネジ止めしてあることを特徴とする防火建具。
【請求項２】
サッシ枠と、サッシ枠の縦枠同士を連結する方立と、目板とを備え、縦枠は方立と係合しており、目板は、方立の略全長に亘って設けてあり、左右の縦枠及び方立の室内側面に跨って配置してあり、方立は、長手方向に突部を有し、方立の突部と目板とで縦枠の室内側縁部を長手方向全長に亘って挟み込んでおり、方立の室内側面と目板の室外側面とが面接触していることを特徴とする防火建具。
【発明の詳細な説明】
【技術分野】
【０００１】
本発明は、隣接するサッシ枠の縦枠同士を方立で連結した防火建具に関する。
【背景技術】
【０００２】
ビル等の窓では、複数の窓枠の縦枠同士を方立で連結し、連窓としたものがある。このような窓では、火災時に縦枠や方立が火災の熱で変形したり溶融したりするのに伴って、縦枠と方立との間に隙間ができ、その隙間を通じて火炎や煙等が室内外を連通するおそれがある。
【発明の概要】
【発明が解決しようとする課題】
【０００３】
本発明は以上に述べた実情に鑑み、縦枠同士を方立で連結した建具の防火性能の向上を目的とする。
【課題を解決するための手段】
【０００４】
上記の課題を達成するために請求項１記載の発明による防火建具は、サッシ枠と、サッシ枠の縦枠同士を連結する方立と、目板とを備え、縦枠は方立と係合しており、目板は、方立の略全長に亘って設けてあり、左右の縦枠及び方立の室内側面に跨って配置してあり、方立は、長手方向に突部を有し、方立の突部と目板とで縦枠の室内側縁部を長手方向全長に亘って挟み込んでおり、目板は、方立と左右の縦枠にネジ止めしてあることを特徴とする。
【０００５】
請求項２記載の発明による防火建具は、サッシ枠と、サッシ枠の縦枠同士を連結する方立と、目板とを備え、縦枠は方立と係合しており、目板は、方立の略全長に亘って設けてあり、左右の縦枠及び方立の室内側面に跨って配置してあり、方立は、長手方向に突部を有し、方立の突部と目板とで縦枠の室内側縁部を長手方向全長に亘って挟み込んでおり、方立の室内側面と目板の室外側面とが面接触していることを特徴とする。
【発明の効果】
【０００６】
請求項１記載の発明による防火建具は、縦枠が方立と係合しており、目板は、方立の略全長に亘って設けてあり、左右の縦枠及び方立の室内側面に跨って配置してあり、方立は、長手方向に突部を有し、方立の突部と目板とで縦枠の室内側縁部を長手方向全長に亘って挟み込んでおり、目板は、方立と左右の縦枠にネジ止めしてあることで、火災時に縦枠と方立間の隙間の発生を抑制し、火炎や煙の連通を防止できるので、防火性能が向上する。
【０００７】
請求項２記載の発明による防火建具は、縦枠が方立と係合しており、目板は、方立の略全長に亘って設けてあり、左右の縦枠及び方立の室内側面に跨って配置してあり、方立は、長手方向に突部を有し、方立の突部と目板とで縦枠の室内側縁部を長手方向全長に亘って挟み込んでいることで、火災時に縦枠と方立間の隙間の発生を抑制し、火炎や煙の連通を防止できるので、防火性能が向上する。また、方立の室内側面と目板の室外側面とが面接触していることで、火災時に目板が熱せられたときに熱を方立側に効率よく逃がすことができるため、目板の溶融や変形を抑えられる。
【図面の簡単な説明】
【０００８】
【図１】本発明の防火建具の第１実施形態を示す横断面図（図６のＡ−Ａ断面）である。
【図２】本発明の防火建具の第２実施形態を示す横断面図（図６のＡ−Ａ断面）である。
【図３】本発明の防火建具の第３実施形態を示す横断面図（図６のＡ−Ａ断面）である。
【図４】本発明の防火建具の第４実施形態を示す横断面図（図６のＡ−Ａ断面）である。
【図５】本発明の防火建具の第５実施形態を示す横断面図（図６のＡ−Ａ断面）である。
【図６】本発明の一実施形態に係る防火建具の室内側正面図である。
【図７】本発明の防火建具の第６実施形態を示す横断面図（図６のＡ−Ａ断面）である。
【図８】第６実施形態の防火建具の火災時の状態を示す横断面図である。
【図９】本発明の防火建具の第７実施形態を示す横断面図（図６のＡ−Ａ断面）である。
【図１０】第７実施形態の防火建具の火災時の状態を示す横断面図である。
【図１１】本発明の防火建具の第８実施形態を示す横断面図（図６のＡ−Ａ断面）である。
【図１２】第８実施形態の防火建具の火災時の状態を示す横断面図である。
【発明を実施するための形態】
【０００９】
以下、本発明の実施の形態を図面に基づいて説明する。図１，６は、本発明の防火建具の第１実施形態を示している。この防火建具は、ビルの窓に用いられるものであって、図６に示すように、左右に隣接して配置されたサッシ枠１，１の縦枠２，２同士を方立３で連結し、連窓にしたものである。
各サッシ枠１には、図１に示すように、室内側から複層ガラス１１を嵌め込み、室内側に押縁１２を取付け、サッシ枠１の室外側のガラス保持片１３及び室内側の押縁１２と複層ガラス１１との間に、バックアップ材１４とシール材１５を装填して複層ガラス１１を固定してあり、いわゆる嵌め殺し窓となっている。
サッシ枠１の縦枠２は、アルミニウム合金の押出形材よりなり、図１に示すように、外周側が開放した略コ字状断面となっており、縦枠２の室外側縁部１６は室内側に向けて鉤状に曲がった形に形成され、縦枠２の室内側縁部１７は室外側に向けて鉤状に曲がった形に形成されている。
【００１０】
方立３は、図１に示すように、方立本体２３と目板５と目板カバー２４とで構成されている。方立本体２３は、アルミニウム合金の押出形材よりなり、室外側及び室内側の見付壁１９，２０と一対の見込み壁２１，２１とからなる見込み方向に長い矩形断面の中空部２２を有している。室外側の見付壁１９は、見込み壁２１，２１よりも側方に張り出している。一対の見込み壁２１，２１の室外側寄りの位置には、室外側に向けて鉤状に曲がった爪６が長手方向に沿って設けてある。また、一対の見込み壁２１，２１の室内側端部寄りの位置には、突部７が長手方向に沿って設けてある。突部７の先端部には、縦枠２の室内側縁部１７が係止する係止部２５を有する。方立本体２３の室内側面２６は、フラットに形成されている。
目板５は、方立３の略全長に亘って設けられるものであって、アルミニウム合金の押出形材よりなり、方立本体２３の室内側の見付壁２０と略同じ横幅を有する取付板部２７と、取付板部２７の左右端部より室内側に若干オフセットして側方にのびる縦枠支持部３４，３４とを有し、左右の縦枠２，２及び方立本体２３の室内側面に跨って配置してある。目板５は、全体が方立本体２３より肉厚に形成してある。取付板部２７は、室外側面２８がフラットになっており、この面２８を方立本体２３の室内側面２６と面接触させ、室内側からのネジ２９で固定してある。
目板カバー２４は、アルミ又は樹脂の押出形材よりなり、室外側が開放した略コ字状断面に形成され、左右の側壁に形成された係止部３０，３０を目板５の側縁部に室内側から弾発的に係止させて取付けられ、目板５を室内側から被っている。
【００１１】
縦枠２は、図１に示すように、室外側縁部１６が方立本体２３の見込み壁２１に形成された爪６に室外側から係合している。方立本体２３の見込み壁２１の室外側端部には、アルミ等の金属の矩形断面の長尺材よりなる開き防止具４が長手方向の略全長に亘って配置され、側方からのネジ３１で固定してあり、この開き防止具４は、方立本体２３の室外側の見付壁１９の張り出し部分１９ａと縦枠２の室外側面との間に介在している。この開き防止具４がクサビとなり、縦枠２が方立本体２３との係合が解除する方向（室外側）に移動するのを長手方向で規制している。さらに、方立本体２３の室外側の見付壁１９の張り出し部分１９ａと縦枠２の室外側面との間には、耐火性のバックアップ材３２を挿入した上でシール材３３を充填し、雨水の浸入を防いでいる。縦枠２の室内側縁部１７は、方立本体２３の見込み壁２１に長手方向に設けた突部７と目板５の縦枠支持部３４とで挟み込まれている。
【００１２】
以上に述べたように本実施形態の防火建具は、縦枠２の室外側縁部１６が方立本体２３の爪６に室外側から係合し、方立本体２３の見込み壁２１に縦枠２が方立本体２３との係合が解除する方向（室外側）に移動するのを長手方向で規制する開き防止具４が設けてあることで、火災時に縦枠２と方立３間の隙間の発生を抑制し、火炎や煙の連通を防止できるので、防火性能が向上する。開き防止具４は、アルミ等の市販のフラットバーを利用することができ、安価に入手できる。開き防止具４が方立３の見込み面に配置され、縦枠２の係合が外れる方向に対して直交する方向のネジ３１で方立３に固定してあるので、縦枠２に係合が外れる方向（室外側向き）に力が働いたときに、その力に対してネジ３１がせん断力で抵抗することになるので、室内外方向のネジで開き防止具４を固定した場合（この場合にはネジが引き抜き力で抵抗する）よりも、より強い力に耐えることができる。
【００１３】
また本実施形態の防火建具は、縦枠２が方立３と係合しており、目板５は、方立３の略全長に亘って設けてあり、左右の縦枠２，２及び方立３（方立本体２３）の室内側面に跨って配置してあり、方立３の突部７と目板５とで縦枠２の室内側縁部１７を挟み込んでいることで、縦枠２が見込み方向に移動して方立本体２３との係合が外れるのをより一層確実に防止できると共に、縦枠２の室内側縁部１７と方立３間に隙間が開くことも防止できるため、縦枠２と方立３間からの火炎や煙の連通を防止し、防火性能を向上できる。
また、方立本体２３の室内側面２６と目板５の室外側面２８とが面接触していることで、火災時に目板５が熱せられたときに熱を方立３側に効率よく逃がすことができるため、目板５の溶融や変形を抑えられる。
【００１４】
図２は、本発明の防火建具の第２実施形態を示している。本実施形態では、縦枠２の室内側縁部１７を目板５の縦枠支持部３４に室内側からのネジ３５で固定してある。それ以外の点は、第１実施形態と同様である。
本実施形態の防火建具は、目板５が左右の縦枠２，２及び方立本体２３の室内側面に跨って配置してあり、且つ方立本体２３と左右の縦枠２，２にネジ止めしてあることで、火災時に縦枠２の室内側縁部１７が目板５や方立本体２３から離れて隙間が開くのを確実に防ぎ、火炎や煙の連通を防止できる。
【００１５】
図３は、本発明の防火建具の第３実施形態を示している。この実施形態では、開き防止具４が金属製の断面コ字状の長尺材となっており、この開き防止具４は、方立本体２３の室外側の見付壁１９の張り出し部分１９ａと縦枠２の室外側面間の隙間に、当て木を当てて打ち込んで取付けている。それ以外の点は、第１実施形態と同様である。
本実施形態によれば、開き防止具４を方立本体２３にネジ止めする必要がないため、施工性が向上する。また開き防止具４は、方立３と縦枠２間に隙間なく嵌め込んだだけでネジ止めしてないので、方立３や縦枠２が熱伸びしたときに熱伸びを吸収することができ、開き防止具４と方立３及び縦枠２間に隙間が生ずるのを防止できる。
【００１６】
図４は、本発明の防火建具の第４実施形態を示している。この実施形態では、方立本体２３の見込み壁２１の室外側端部に凹部３６が形成してあり、開き防止具４はアルミ合金の押出形材よりなるが断面コ字状の長尺材となっており、この開き防止具４は、一対の係止爪３７，３７を凹部３６の入口部に形成した突起３８，３８に弾発的に係止させて取付けている。それ以外の点は、第１実施形態と同様である。
本実施形態によれば、第３実施形態と同様に、開き防止具４を方立本体２３にネジ止めする必要がないため、施工性が向上する。また開き防止具４は、方立３と縦枠２間に隙間なく嵌め込んだだけでネジ止めしてないので、方立３や縦枠２が熱伸びしたときに熱伸びを吸収することができ、開き防止具４と方立３及び縦枠２間に隙間が生ずるのを防止できる。
【００１７】
図５は、本発明の防火建具の第５実施形態を示している。この実施形態では、方立本体２３の見込み壁２１の室外側端部に凹部３６が形成してあり、開き防止具４はアルミ合金の押出形材よりなり、凹部３６入口側の突起３８に弾発的に係止する一対の係止片３７，３７と、気密材保持部３９とを有し、気密材保持部３９に気密材４０を取付けている。それ以外の点は、第１実施形態と同様である。
本実施形態によれば、第３，４実施形態と同様に、開き防止具４を方立本体２３にネジ止めする必要がない上、シール材３３を打設する手間も不要なため、施工性がさらに向上する。
【００１８】
図７は、本発明の防火建具の第６実施形態を示している。この実施形態では、方立本体２３の見込み壁２１の室外側端部に、火災時に火災の熱により発泡・膨張する熱膨張性耐火材４５が長手方向に沿って設けてある。かかる熱膨張性耐火材４５は、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。さらに本防火建具は、方立本体２３の室外側の見付壁１９の張り出し部分１９ａに気密材ホルダー４４を有し、気密材ホルダー４４に気密材４０が取付けてあり、気密材４０が縦枠２の室外側面に当接している。
本実施形態の防火建具は、火災時に気密材４０が火災の熱で溶けて縦枠２の室外側部分と方立３間に隙間ができたとしても、図８に示すように、熱膨張性耐火材４５が火災の熱により発泡・膨張し、縦枠２の室外側部分と方立３間の隙間を塞ぐので、火炎や煙の連通を防止できる。縦枠２の室内側縁部１７を方立本体２３の鉤状の突部７と目板５とで挟み込んでいるため、縦枠２の室内側部分と方立３間にも隙間が開かない。
【００１９】
図９は、本発明の防火建具の第７実施形態を示している。この実施形態では、方立本体２３の見込み壁２１の室外側端部に溝状のホルダー部４６が長手方向に沿って設けられ、該ホルダー部４６に熱膨張性耐火材４５を取付けている。
本実施形態の防火建具も、図１０に示すように、火災時に熱膨張性耐火材４５が火災の熱により発泡・膨張し、縦枠２の室外側部分と方立３間の隙間を塞ぐので、火炎や煙の連通を防止できる。熱膨張性耐火材４５を溝状のホルダー部４６に取付けたことで、熱膨張性耐火材４５が剥がれたり脱落したりするのを防止できる。
【００２０】
図１１は、本発明の防火建具の第８実施形態を示している。この実施形態では、方立本体２３の室外側の見付壁１９の張り出し部分１９ａに設けた気密材ホルダー４４を利用して熱膨張性耐火材４５を取付け、熱膨張性耐火材４５を縦枠２の室外側面に当接している。
本実施形態の防火建具も、図１２に示すように、火災時に熱膨張性耐火材４５が火災の熱により発泡・膨張し、縦枠２の室外側部分と方立３間の隙間を塞ぐので、火炎や煙の連通を防止できる。熱膨張性耐火材４５を気密材ホルダー４４に取付けたことで、熱膨張性耐火材４５の取付けが容易に行えると共に、熱膨張性耐火材４５が剥がれたり脱落したりするのを防止できる。
【００２１】
本発明は以上に述べた実施形態に限定されない。縦枠及び方立の断面形状は、適宜変更することができる。目板の材質や断面形状は、適宜変更することができる。本発明においては、方立（方立本体）の突部と目板とで縦枠の室内側縁部を挟み込んでいることで、縦枠が方立との係合が解除する方向に移動するのを規制できるので、開き防止具は省略することもできる。本発明の防火建具は、実施形態のような嵌め殺し窓に限らず、サッシ枠内に２枚の障子を引違い状に開閉自在に収めた引違い窓や、サッシ枠内に１枚の障子をすべり出し式に開閉自在に収めたすべり出し窓等に適用することもできる。
【符号の説明】
【００２２】
１  サッシ枠
２  縦枠
３  方立
４  開き防止具
５  目板
６  爪
７  突部
１６  縦枠の室外側縁部（爪）
２３  方立本体（方立）
【図１】
0006613046.tif 000002
【図２】
0006613046.tif 000003
【図３】
0006613046.tif 000004
【図４】
0006613046.tif 000005
【図５】
0006613046.tif 000006
【図６】
0006613046.tif 000007
【図７】
0006613046.tif 000008
【図８】
0006613046.tif 000009
【図９】
0006613046.tif 000010
【図１０】
0006613046.tif 000011
【図１１】
0006613046.tif 000012
【図１２】
0006613046.tif 000013